(57)【要約】【課題】無線帯域が輻輳時、帯域予約を実施した際のどの装置からの予約ができたかという予約情報の確認と、帯域予約実行時の確認及び帯域予約解除時の確認が容易ではなかった。【解決手段】通信管理を行う基地局と前記基地局との間で無線通信を行う複数の移動通信局との間の予約システムにおいて、帯域予約を実施した際のどの装置からの予約かがわかるようにディスプレイ５にサムネイルと共にメッセージ表示するように構成した。【選択図】  図１
2010010828.tif 000002
【特許請求の範囲】
【請求項１】
通信管理を行う基地局と前記基地局との間で無線通信を行う複数の移動通信局との間の予約システムであって、
前記移動通信局からの帯域を予約する手段と、
前記予約とサムネイルを関連付けて保存する手段と、
前記サムネイルを添付して送信する予約完了通知手段と、
前記サムネイルに基づいて予約が基地局で完了したというメッセージを表示する表示手段とを有することを特徴とする予約システム。
【請求項２】
前記無線通信におけるデータは、リアルタイムデータであることを特徴とするに請求項１に記載の予約システム。
【請求項３】
前記無線通信は、ＩＥＥＥ８０２．１１（無線ＬＡＮ）であることを特徴とする請求項１に記載の予約システム。
【請求項４】
前記無線通信は、ＩＥＥＥ８０２．１５．３であることを特徴とする請求項１に記載の予約システム。
【請求項５】
前記無線通信は、ＵＷＢ通信であることを特徴とする請求項１に記載の予約システム。
【請求項６】
通信管理を行う基地局と前記基地局との間で無線通信を行う複数の移動通信局との間の予約システムによる予約方法であって、
前記移動通信局からの帯域を予約する工程と、
前記予約とサムネイルを関連付けて保存する工程と、
前記サムネイルを添付して送信する予約完了通知工程と、
前記サムネイルに基づいて予約が基地局で完了したというメッセージを表示する表示工程とを有することを特徴とする予約方法。
【請求項７】
請求項６に記載の予約方法の各工程をコンピュータに実行させるためのプログラム。
【発明の詳細な説明】
【技術分野】
【０００１】
本発明は、機器間を無線通信にて接続した通信の予約システム等に関するものである。
【背景技術】
【０００２】
従来、機器間を無線通信で接続し、データ転送行う方法が様様提案されてきた。従来の機器間を無線通信で接続しデータ転送を行う際に、扱うデータとして映像データ等のＱｏＳを必要とするリアルタイムデータを扱う場合は、そのリアルタイム性を失うことなく転送する為に様様な方法が提案されてきた。
【０００３】
特に、最近広まっている無線ＬＡＮにおいては、元来、ＬＡＮ自体の規格が離散データを扱うことを前提に作られた規格であるため、リアルタイムデータを扱うにはそれなりの工夫が必要である。
【０００４】
前記無線ＬＡＮの規格の取り決めを行っている国際機関において、数年にわたり前記リアルタイムデータを扱うための規格として、「QoSEnhancements」の標準化検討が行われている。
【０００５】
ちなみに、セルラ携帯電話システム等の移動通信システムの世界では、基地局における無線通信チャネルの通信トラフィックが所定量を超えた場合に発信規制を行う機能を備えた移動通信システムがある。これによれば、予め登録された特定の移動通信端末は、基地局からの発信規制中である旨の通知を受けた場合でも、無線通信チャネルとは別に用意された制御チャネルを使用して空きチャネルの使用を予約する。また、当該予約情報の送信に対し基地局から空きチャネルの使用許可が到来した場合に、指定された空きの無線通信チャネルを使用して無線通信を行う構成が提案されている（特許文献１を参照のこと）。
【０００６】
その他の提案として、ホットスポット等の公衆無線通信システムにおいて、通信開始希望時刻の任意の一定時間以上前に通信開始希望時刻を指定した通信枠割り当て要求を通信予約要求として識別する手段を備えるものがある。そして、前記通信予約要求に対して、前記通信予約要求以外の通信枠割り当て要求より優先的に通信枠の割り当てを行う提案もなされている（特許文献２を参照のこと）。
【０００７】
【特許文献１】特開２００２−２０４４７７号公報（第２頁、第３図）
【特許文献２】特開２００４−２６０３１２号公報（第２〜３頁、第２図）
【発明の開示】
【発明が解決しようとする課題】
【０００８】
しかしながら、一人のユーザが同じ種類の移動通信端末を複数所有している場合に、どの端末で空きチャネル予約をしたのかを予約後に確認する為には、全ての端末を一つ一つ操作し、小さい画面を確認しなければならないという問題があった。
【０００９】
また従来技術では、発信規制中の後に行った無線通信チャネル予約後の予約情報の確認が予約端末以外では出来ないという問題があった。また従来技術では、基地局が通信開始希望時刻を指定した通信枠割り当て要求を通信予約要求として識別した際に、当該通信予約の確認をする手段が無いという問題があった。
【００１０】
本発明は、このような状況を鑑みてなされたものであり、不特定多数の人に超高性能なＣＰＵを使うことなく、処理負荷を押さえ、リアルタイム映像伝送における低遅延性を向上させた無線ＱｏＳの予約システムを提供することを目的とする。
【課題を解決するための手段】
【００１１】
本発明の予約システムは、通信管理を行う基地局と前記基地局との間で無線通信を行う複数の移動通信局との間の予約システムであって、前記移動通信局からの帯域を予約する手段と、前記予約とサムネイルを関連付けて保存する手段と、前記サムネイルを添付して送信する予約完了通知手段と、前記サムネイルに基づいて予約が基地局で完了したというメッセージを表示する表示手段とを有することを特徴とする。
本発明の予約方法は、通信管理を行う基地局と前記基地局との間で無線通信を行う複数の移動通信局との間の予約システムによる予約方法であって、前記移動通信局からの帯域を予約する工程と、前記予約とサムネイルを関連付けて保存する工程と、前記サムネイルを添付して送信する予約完了通知工程と、前記サムネイルに基づいて予約が基地局で完了したというメッセージを表示する表示工程とを有することを特徴とする。
また、本発明のプログラムは、上記に記載の予約方法の各工程をコンピュータに実行させるためのプログラムである。
【発明の効果】
【００１２】
本発明によれば、決められた無線帯域で無線帯域がビジーの場合に、新規移動通信局からのＱｏＳ帯域予約を可能にし、簡便な前記ＱｏＳ帯域予約確認方法と、簡便なＱｏＳ帯域予約解除方法を提供することができるという効果がある。
【発明を実施するための最良の形態】
【００１３】
以下、本発明の予約システムについて図面を参照しつつ詳細に説明する。
(第１の実施の形態)
以下、図１〜図６に基づき、本発明による無線ＱｏＳ予約システムを具現化した好適な実施の形態を説明する。図１は、本発明の無線ＱｏＳ予約システムを用いた機器によるネットワーク構成図である。
【００１４】
図１において、１は無線通信が可能なデジタルビデオカムコーダ（以下、ＤＶＣと略す）である。２は各種メディアデータ等を記録保存可能なストレージである。
【００１５】
３は無線通信が可能な監視用途等に用いられるネットワークカメラ（移動通信局）である。４は無線通信ネットワークの調停・通信管理を行うアクセスポイント（基地局）としてのＨＣ（Hybrid Coordinator）である。
【００１６】
５は画像及び映像や文字情報を表示可能なディスプレイである。６は無線通信が可能なデジタルカメラ（以下、ＤＳＣと略す）である。
【００１７】
図１での前提となる通信状態は、ネットワークカメラ３が狭帯域でディスプレイ５に映像をストリームとして送っている。同時に、ＤＶＣ１がＨＣ４経由でストレージ２に最大帯域でファイル転送を行っている通信状況であり、空き帯域は残りわずかしかない状況である。
【００１８】
図２は、本発明の無線ＱｏＳ予約システムにおける組み合わせ機能別帯域リストの図である。横が送信元、縦が送信先を表し、例えば送信元ＤＶＣで送信先がストレージの場合、最小帯域で送るのは、静止画を低速で送信する場合、最大帯域で送るのは、ハイビジョンの動画等を送る場合という使用帯域を表すリストである。
【００１９】
図３は、本実施の形態で想定したＤＳＣ６、ＨＣ４、ディスプレイ５及びストレージ２における通信のシーケンス図である。図４は、本実施の形態に係るＤＳＣ６の動作を説明するフローチャートである。図５は、本実施の形態に係るＨＣ４の動作を説明するフローチャートである。図６は、本実施の形態に係るストレージ２の動作を説明するフローチャートである。以下、図１、図２、図３、図４、図５及び図６に沿って、無線ＱｏＳ予約システムの実施の形態を詳細に説明する。
【００２０】
図４において、ＤＳＣ６が撮像画像をストレージ２に転送の為、送信ボタン（図示せず）を押下されると（Ｓ１０１０）と、ＤＳＣ６は、ＤＳＣ６内のメモリに格納された先頭の映像もしくは画像のサムネイルをコピーする。
【００２１】
次に、ストレージ格納のパラメータと共に付加したＭｅｄｉａＤａｔａ送信＆予約要求メッセージを無線通信の制御パケットとしてＨＣ４に送信する（Ｓ１０１５）。ここでいう制御パケットは、例えば、ＷｉｒｅｌｅｓｓＬＡＮのＱｏＳ規格であるＩＥＥＥ８０２．１１ｅにおけるＣＰ（Contention Period）区間を使って送られる。また、次世代超高速無線規格ＩＥＥＥ８０２．１５．３（物理層はＵＷＢ通信等）におけるＣＡＰ（Contention access period）区間を使って送ったりすることを想定している。
すなわち、通信データ帯域が輻輳状態であっても制御情報を送受できる区間を用いて通信が行えることを前提としている。なお、本願においてＩＥＥＥ８０２．１５．３での通信を用いた場合、本願でのＨＣ４は、ＰＮＣ（Piconet coordinator）の機能を併せ持つ。
【００２２】
そして図５において、ＭｅｄｉａＤａｔａ送信＆予約要求を受信（Ｓ１１１０）したＨＣ４は、転送先であるストレージ２にストレージの空きがあるかどうかを確認するためのプレＭｅｄｉａＤａｔａ送信指示をストレージ２に送信する（Ｓ１１１２）。
【００２３】
そして図６において、プレＭｅｄｉａＤａｔａ送信指示を受信（Ｓ１２００）したストレージ２は、ストレージ内の空き領域を計算する（Ｓ１２３０）。空き領域の判定を実施し（Ｓ１２４０）、充分空きがある場合には、プレＭｅｄｉａＤａｔａ送信応答のパラメータとしてＯＫをＨＣ４に返す（Ｓ１２５０）。充分空きが無い場合には、プレＭｅｄｉａＤａｔａ送信応答のパラメータとしてＮＧをＨＣ４に返す（Ｓ１２６０）。
【００２４】
そして図５において、プレＭｅｄｉａＤａｔａ送信応答（ＮＧ）を受信（Ｓ１１１６）したＨＣ４は、送信失敗の処理として、以下の処理を実行する。
ＤＳＣ６に対し、ＭｅｄｉａＤａｔａ送信予約確認のパラメータとして、「送信不可：ストレージ空き無し」のメッセージを送信する（Ｓ１１３６）。そしてディスプレイ５に対し、前記ＭｅｄｉａＤａｔａ送信＆予約要求に付加されて来たサムネイルを添付したＭｅｄｉａＤａｔａ送信不可表示要求メッセージを送信し（Ｓ１１３８）終了する。
【００２５】
また、図４において、ＨＣ４よりＭｅｄｉａＤａｔａ送信予約確認（送信不可：ストレージ空き無し）を受信（Ｓ１０２５）したＤＳＣ６は、送信失敗処理（Ｓ１０５５）として送信エラーを記録し終了する。また、ＨＣ４よりＤＳＣ６ＭｅｄｉａＤａｔａ送信失敗表示指示メッセージを受信したディスプレイ５は、画面に当該ＤＳＣ６ＭｅｄｉａＤａｔａ送信失敗メッセージと共に、添付されてきたサムネイルを展開して表示する。
【００２６】
一方、図５においてプレＭｅｄｉａＤａｔａ送信応答（ＯＫ）を受信（Ｓ１１１６）したＨＣ４は、ストレージ２へのデータ格納が可能であることを認識する。ＤＳＣ６とストレージ２間での組み合わせ機能別帯域リスト（図２）より現状の使用帯域をサーチし（Ｓ１１１８）、最小帯域分が取れるかどうかを判断し（Ｓ１１２０）する。帯域が取れないと判断した場合は、帯域予約テーブルにＤＳＣ６−ストレージ２間帯域予約を追加すると共に、ＭｅｄｉａＤａｔａ送信予約要求に付加されて来たサムネイルを当該予約情報と関連づけて格納する（Ｓ１１２１）。
【００２７】
そしてＨＣ４は、ＤＳＣ６に対し、ＭｅｄｉａＤａｔａ送信予約確認として「帯域輻輳：予約完了通知」を行う（Ｓ１１２２）。
【００２８】
さらにＨＣ４は、予約完了をユーザに知らせるため、ディスプレイ５に対し、前記予約時に関連付けて格納したサムネイルを読み出して付加したＤＳＣ６帯域予約表示指示メッセージを送信する（Ｓ１１２４）。
【００２９】
そしてＤＳＣ６帯域予約表示指示メッセージを受信したディスプレイ５は、画面に当該ＤＳＣ６帯域予約完了のメッセージと共に、付加されてきたサムネイルを展開して表示する。その後ＨＣ４は、帯域空き待ち状態となる（Ｓ１１３０）。
【００３０】
一方、ＭｅｄｉａＤａｔａ送信予約確認（帯域輻輳：予約完了）を受信（Ｓ１０４０）したＤＳＣ６は、帯域予約実行メッセージ受信待ち状態に移行する（Ｓ１０４５）。しばらくした後、ＤＶＣ１からの転送完了により帯域開放のメッセージがＨＣ４に送信される。
【００３１】
帯域開放メッセージを受信したＨＣ４は、前記帯域予約テーブルより予約順位１位のＤＳＣ６の予約情報と組み合わせ機能別帯域リスト（図２）を参照して、空き帯域が機能別組み合わせ帯域の最小より大きく、どこまで取れるかを判断する（Ｓ１１３２）。
【００３２】
充分な帯域が取れると判断した場合に、帯域予約実行処理として、ＤＳＣ６に対し、使用可能最大帯域を付加したＭｅｄｉａＤａｔａ送信帯域予約実行メッセージを送信する（Ｓ１１３４）。
【００３３】
またＭｅｄｉａＤａｔａ送信帯域予約実行メッセージを受信した（Ｓ１０４５）ＤＳＣ６は、帯域予約実行処理として、付加されてきた最大帯域までの実利用帯域を決定後当該実利用帯域を付加したＭｅｄｉａＤａｔａ送信予約要求を再度送信する（Ｓ１０５０）。ＭｅｄｉａＤａｔａ送信＆予約要求を受信したＨＣ４の動作は、上記Ｓ１１１０からＳ１１１６と同じであるため説明を省略する。
【００３４】
そして図５において、プレＭｅｄｉａＤａｔａ送信応答（ＯＫ）を受信したＨＣ４は、ストレージ２へのデータ格納が可能であることを認識する。ＤＳＣ６とストレージ２間での組み合わせ機能別帯域リスト（図２）より最小帯域分が取れるかどうかを判断する（Ｓ１１２０）。帯域が確保可能と判断した場合は、ＤＳＣ６に対し、ＭｅｄｉａＤａｔａ送信＆予約確認（帯域確保：ＯＫ）を送信する（Ｓ１１４０）。また、ＤＳＣ６における帯域予約が実行される旨の表示をユーザに知らせる為、前記予約時に関連付けられて格納されているサムネイルを読み出して付加したＭｅｄｉａＤａｔａ送信実行表示指示をディスプレイ５に対し送信する（Ｓ１１４２）。
【００３５】
そして、ＭｅｄｉａＤａｔａ送信実行表示指示メッセージを受信したディスプレイ５は画面に当該ＤＳＣ６転送実行のメッセージと共に、付加されてきたサムネイルを展開して表示する。
【００３６】
そして、図４において、ＭｅｄｉａＤａｔａ送信＆予約確認（帯域確保：ＯＫ）を受信した（Ｓ１０３０）ＤＳＣ６は、ＭｅｄｉａＤａｔａ送信ＯＫ状態に移行する。ＭｅｄｉａＤａｔａ送信開始の処理として、ＭｅｄｉａＤａｔａ送信メッセージをＨＣ４を介してストレージ２に送信する（Ｓ１０６０）。
【００３７】
また、ＭｅｄｉａＤａｔａ送信メッセージを受信した（Ｓ１２１０）ストレージ２は、ＭｅｄｉａＤａｔａ受信中状態に移行するとともにＤＳＣ６にＡＣＫを返す（図示せず）。一方、ストレージ２からのＡＣＫを受信したＤＳＣ６は、ＭｅｄｉａＤａｔａの送信を開始する（Ｓ１０６５）。
【００３８】
以上、本発明の第１の実施の形態を説明した。本実施の形態によれば、以下のような特有の効果がある。すなわち、転送先がストレージ等のデータ格納装置であった場合に、当該データ格納装置の空き領域が少なくてそもそも転送が出来ない旨のメッセージをディスプレイに表示してユーザに知らせることができるという効果がある。
【００３９】
(第２の実施の形態)
次に本発明の第２の実施の形態について、図面を元に詳細に説明する。図７は、本発明の第２の実施の形態に係る無線ＱｏＳ予約システムを具現化したネットワーク構成図である。第１の実施の形態との相違点としては、ＤＶＣ１とＤＳＣ６が、直接無線通信をする代わりに、各々無線通信等を担当するＤＶＣクレードル８、ＤＳＣクレードル７に載った形態でＨＣ４と通信を行う構成になっている。また、ディスプレイ５が有線接続ではなく、無線接続でＨＣ４と通信する構成になった事以外の構成は、第１の実施の形態のブロック図である図１と変わらないため、その他の構成の説明を省略する。
【００４０】
図８は、本実施の形態に係るシーケンス図である。本実施形態においては、第１の実施の形態でのＭｅｄｉａＤａｔａ送信＆予約要求をＤＳＣ６からＨＣ４に送信し、帯域輻輳時に予約を行い、ディスプレイ５に予約表示をし、各々待機状態になった後の動作について説明を行う。なお、ＤＳＣ６からサムネイルを読み出す先等が、ＤＳＣクレードル７になっている以外のシーケンスは何も変わらない為、上記予約完了までの手順の説明は省略する。
【００４１】
図９は、本実施の形態に係るＤＳＣクレードル７の動作を説明するフローチャートである。図１０は、本実施の形態に係るＨＣ４の動作を説明するフローチャートである。以下、図７、図８、図９及び図１０に沿って、無線ＱｏＳ予約システム詳細を説明する。
【００４２】
図９において、帯域予約実行メッセージ受信待ち状態（Ｓ２０００）にあったＤＳＣクレードル７において、ＤＳＣ６が脱着されたことを検知するとタイマを起動しタイムアウトを待つ（Ｓ２０１０）。
【００４３】
タイムアウト後、帯域予約の解除を行う為ＭｅｄｉａＤａｔａ送信＆予約解除要求をＨＣ４に対し送信する（Ｓ２０２０）。
【００４４】
図１０において、帯域空き待ち状態（Ｓ２１１０）にあったＨＣ４は、ＤＳＣクレードル７よりＭｅｄｉａＤａｔａ送信＆予約解除要求を受信する（Ｓ２１２０）と、帯域予約テーブルよりＤＳＣ６のＩＤをサーチする。当該ＤＳＣ６予約に関連して格納されているサムネイルを読み出し、当該サムネイルを付加した帯域予約解除表示指示メッセージをディスプレイ５に送信する（Ｓ２１３０）。
【００４５】
その後、帯域予約テーブルよりＤＳＣ６の情報を予約履歴テーブルに移動して帯域予約テーブルより削除し（Ｓ２１４０）、ＭｅｄｉａＤａｔａ送信＆予約解除確認をＤＳＣクレードル７に対して送信し（Ｓ２１５０）処理を終了する。
【００４６】
そして帯域予約解除表示指示メッセージを受信したディスプレイ５は画面に当該ＤＳＣ６帯域予約解除のメッセージと共に、付加されてきたサムネイルを展開して表示する。
【００４７】
一方、図９において、ＭｅｄｉａＤａｔａ送信＆予約解除確認を受信した（Ｓ２０３０）ＤＳＣクレードル７は、帯域予約処理を終了する。
【００４８】
以上、本発明の第２の実施の形態を説明した。本実施の形態によれば、以下のような特有の効果がある。すなわち、ＤＳＣ６が脱着された後、タイマを起動することで、ＤＳＣ６とＤＳＣクレードル７の接続部のチャタリングによる誤予約解除の防止が可能であるという効果がある。
【００４９】
（他の実施の形態）
なお、本発明は上記各々の実施例に限定されるものではなく、さらに以下のような変形が可能である。
第１及び第２の実施の形態の無線通信は、無線ＬＡＮ（８０２．１１）にこだわることなく、ＵＷＢを用いたＷｉｒｅｌｅｓｓＵＳＢ、Ｗｉｒｅｌｅｓｓ１３９４、ミリ波通信等を用いてもよい。
【００５０】
図１１は本発明の無線ＱｏＳ予約システムを具現化したブロック図の他の実施の形態の一例を示す図である。ここでは、第１及び第２の実施の形態で説明したネットワーク構成図でのＤＶＣ１、ＤＳＣ６ネットワークカメラ３及びディスプレイ５において、無線通信アクセス用のアダプタ部９が別装置として接続された構成となっている。当該構成をとっても本発明の意図する処はまったく変わらず実現可能である。
【００５１】
また、本発明の機能を実現するソフトウエアのプログラムコードを記録した記録媒体を、システムあるいは装置に供給し、そのシステムが記録媒体に格納されたプログラムコードを読み出し実行してもよい。
【００５２】
この場合、記録媒体から読み出されたプログラムコード自体が前述した実施形態の機能を実現することとなり、そのプログラムコードを記憶した記録媒体は本発明を構成することになる。
【００５３】
プログラムコードを供給するための記録媒体としては、例えば、光磁気ディスク、ＣＤ−ＲＯＭ、ＣＤ−Ｒ、磁気テープ、不揮発性のメモリカード、ＲＯＭ、ＤＶＤなどを用いることができる。
【００５４】
また、そのプログラムコードの指示に基づき、コンピュータ上で稼動しているＯＳなどが実際の処理の一部または全部を行い、その処理によって前述した実施例の機能が実現される場合も含まれることは言うまでもない。
【００５５】
さらに、プログラムコードの指示に基づき、その機能拡張ボードなどに備わるＣＰＵなどが実際の処理の一部または全部を行い、その処理によって前述した実施形態の機能が実現される場合も含まれることは言うまでもない。
【産業上の利用可能性】
【００５６】
ＨＣの管理下で、機器同士を無線通信で接続した場合の輻輳制御方式として利用可能である。
【図面の簡単な説明】
【００５７】
【図１】本発明の第１の実施の形態に係る無線ＱｏＳ予約システムのネットワーク構成を示す図である。
【図２】本発明の第１の実施の形態に係る無線ＱｏＳ予約システムの組み合わせ機能別リスト表を示した図である。
【図３】本発明の第１の実施の形態に係る無線ＱｏＳ予約システムの動作を示すシーケンス図である。
【図４】本発明の第１の実施の形態に係るＤＳＣの動作を示すフローチャートである。
【図５】本発明の第１の実施の形態に係るＨＣの動作を示すフローチャートである。
【図６】本発明の第１の実施の形態に係るストレージの動作を示すフローチャートである。
【図７】本発明の第２の実施の形態に係る無線ＱｏＳ予約システムのネットワーク構成を示す図である。
【図８】本発明の第２の実施の形態に係る無線Ｑｏｓ予約システムの動作を示すシーケンス図である。
【図９】本発明の第２の実施の形態に係るＤＳＣクレードルの動作を示すフローチャートである。
【図１０】本発明の第２の実施の形態に係るＨＣの動作を示すフローチャートである。
【図１１】本発明のその他の実施の形態に係る無線ＱｏＳ予約システムの構成を示すブロック図である。
【符号の説明】
【００５８】
１  ＤＶＣ
２  ストレージ
３  ネットワークカメラ
４  ＨＣ
５  ディスプレイ
６  ＤＳＣ
７  ＤＳＣクレードル
８  ＤＶＣクレードル
９  通信アダプタ
【図１】
2010010828.tif 000003
【図２】
2010010828.tif 000004
【図３】
2010010828.tif 000005
【図４】
2010010828.tif 000006
【図５】
2010010828.tif 000007
【図６】
2010010828.tif 000008
【図７】
2010010828.tif 000009
【図８】
2010010828.tif 000010
【図９】
2010010828.tif 000011
【図１０】
2010010828.tif 000012
【図１１】
2010010828.tif 000013